(57)【要約】      （修正有）【課題】データ化して活用したいメモや名刺等の取込対象物が多数枚ある場合において、その取り込み後の自動処理のための準備の煩わしさを軽減する。【解決手段】取込対象物２が配置される配置領域３１と、配置領域３１の外側に隣接し取込対象物２の撮影画像について実行するべき処理の内容を規定する情報３４が付される外部領域３２とを具備する支持体３を使用して、支持体３もろとも取込対象物２を撮影する。その撮影を実行した情報処理端末１では、画像内の配置領域３１に配置された取込対象物２の写っている部分を切り出してその撮影画像を得るとともに、外部領域３２に表された情報３４を読み取って当該撮影画像について実行するべき処理の内容を知得し、当該処理を実施する。【選択図】図１
2014021872.tif 000002
【特許請求の範囲】
【請求項１】
取込対象物を撮影して取り込む情報処理端末と、その撮影時に取込対象物を支持する支持体とを要素とするデータ化キットであって、
前記支持体が、
取込対象物が配置される配置領域と、
前記配置領域の外側に隣接し、前記情報処理端末が取込対象物を撮影して取得する撮影画像について実行するべき処理の内容を規定する情報が付される外部領域と
を具備し、前記情報処理端末が、
前記支持体における前記配置領域に配置された取込対象物と前記外部領域とをともに撮影する撮像部と、
前記撮像部で撮影した画像から、前記配置領域または配置領域に配置された取込対象物の写っている部分を切り出してその撮影画像を得るとともに、前記外部領域に表された情報を読み取って当該撮影画像について実行するべき処理の内容を知得し当該処理を実行する情報処理部と
を具備しているデータ化キット。
【請求項２】
前記支持体の前記外部領域には、処理の内容を規定するものとして、取込対象物の撮影画像に付加するメタ情報の指定、前記撮影画像の電子メールによる送信の宛先アドレスの指定、前記撮影画像のアップロード先のサーバの指定、のうち少なくとも一を規定する情報が付され、
前記情報処理端末の前記情報処理部は、前記外部領域に表された情報を読み取り、当該情報により指定されたメタ情報を取込対象物の撮影画像に付加、当該情報により指定された宛先アドレスに向けて前記撮影画像を電子メールとして送信、当該情報により指定されたサーバに向けて前記撮影画像をアップロード、のうち少なくとも一の処理を実行する請求項１記載のデータ化キット。
【請求項３】
請求項１または２記載のデータ化キットを構成するために用いられるものであって、
取込対象物が配置される配置領域と、
前記配置領域の外側に隣接し、前記情報処理端末が取込対象物を撮影して取得する撮影画像について実行するべき処理の内容を規定する情報が付される外部領域と
を具備する支持体。
【請求項４】
請求項１または２記載のデータ化キットを構成するために用いられるものであって、
前記支持体における前記配置領域に配置された取込対象物と前記外部領域とをともに撮影する撮像部と、
前記撮像部で撮影した画像から、前記配置領域または配置領域に配置された取込対象物の写っている部分を切り出してその撮影画像を得るとともに、前記外部領域に表された情報を読み取って当該撮影画像について実行するべき処理の内容を知得し当該処理を実行する情報処理部と
を具備する情報処理端末。
【請求項５】
請求項１または２記載のデータ化キットを構成するために用いられるものであって、コンピュータを、
前記支持体における前記配置領域に配置された取込対象物を前記外部領域とともに撮影した画像から、前記配置領域に配置された取込対象物の写っている部分を切り出してその撮影画像を得るとともに、前記外部領域に表された情報を読み取って当該撮影画像について実行するべき処理の内容を知得し当該処理を実行する情報処理部
として機能させるためのプログラム。
【発明の詳細な説明】
【技術分野】
【０００１】
本発明は、手書きのメモやノートその他種々の取込対象物を撮影してディジタルデータ化する目的で利用されるデータ化キットに関する。
【背景技術】
【０００２】
近時、カメラモジュールが実装された高性能なスマートフォンやタブレット型コンピュータ等が、広汎に普及しつつある。これらの情報処理端末を使用して、打ち合わせや業務の内容を記録した手書きのメモやノート類、業務において交換した名刺等を撮影し、ディジタルデータとして取り込み活用したいというニーズも高まっている。
【０００３】
出願人は既に、そのようなニーズに応え得るメモパッドやノート、ルーズリーフ等の紙製品、及び情報処理端末上で実行されるアプリケーションソフトウェアを市場に供している（下記非特許文献を参照）。
【０００４】
具体的に述べると、メモパッドの用紙やノートの中紙、ルーズリーフの外縁部に、「アクションマーカー」と呼称される、二進法表記で値を記入するマーク欄が設けられている。ユーザは、そのメモ用紙等に書き込みを行うとともに、「アクションマーカー」の欄に値をマークする。
【０００５】
「アクションマーカー」の値は、書き込みをしたメモ用紙等の取込対象物を撮像して得られる撮影画像を、情報処理端末においてどのように処理するべきかを指し示すものである。例えば、
・値が１であれば、撮影画像に特定のメタ情報（タグ）を付した上で情報処理端末内に保存する
・値が２であれば、撮影画像を所定の宛先アドレスに電子メールの形で送信する
・値が３であれば、撮影画像を所定のウェブサーバにアップロードする
……
というような態様である。
【０００６】
ユーザは、情報処理端末上でアプリケーションソフトウェアを起動し、「アクションマーカー」の値が記入された取込対象物をカメラモジュールを介して撮影する。さすれば、情報処理端末が、撮影画像の中に含まれる「アクションマーカー」の値を読み取り、その値に対応した処理を遂行する。このものによれば、取込対象物を単にディジタルデータ化して蓄積できるだけでなく、データの分別や他のユーザとの共有までもが自動的に実現される。
【０００７】
しかしながら、データ化した上で一様に処理したい取込対象物が多数枚存在する場合には、それらの一枚一枚におしなべて同一の「アクションマーカー」の値をマークしなければならず、ともすれば煩瑣であった。
【先行技術文献】
【非特許文献】
【０００８】
【非特許文献１】“ＣａｍｉＡｐｐ（登録商標）”、［ｏｎｌｉｎｅ］、［平成２４年７月１８日検索］、インターネット＜ＵＲＬ  http://www.kokuyo-st.co.jp/stationery/camiapp/＞
【発明の概要】
【発明が解決しようとする課題】
【０００９】
本発明は、上述の問題に初めて着目してなされたものであり、データ化して活用したい取込対象物が多数枚ある場合において、その取り込み後の自動処理のための準備の煩わしさを軽減することを所期の目的としている。
【課題を解決するための手段】
【００１０】
本発明では、取込対象物を撮影して取り込む情報処理端末と、その撮影時に取込対象物を支持する支持体とを要素とするデータ化キットであって、前記支持体が、取込対象物が配置される配置領域と、前記配置領域の外側に隣接し、前記情報処理端末が取込対象物を撮影して取得する撮影画像について実行するべき処理の内容を規定する情報が付される外部領域とを具備し、前記情報処理端末が、前記支持体における前記配置領域に配置された取込対象物と前記外部領域とをともに撮影する撮像部と、前記撮像部で撮影した画像から、前記配置領域または配置領域に配置された取込対象物の写っている部分を切り出してその撮影画像を得るとともに、前記外部領域に表された情報を読み取って当該撮影画像について実行するべき処理の内容を知得し当該処理を実行する情報処理部とを具備しているデータ化キットを構成した。
【００１１】
このようなものであれば、データ化して一様に処理したい取込対象物、即ち手書きのメモや名刺等が多数枚あったとしても、それらについて事後の処理を規定する情報は支持体に表されていればよく、取込対象物の一枚一枚に同一の情報を記述する手間が省かれる。
【００１２】
好適な実施態様の一としては、前記支持体の前記外部領域に、処理の内容を規定するものとして、取込対象物の撮影画像に付加するメタ情報の指定、前記撮影画像の電子メールによる送信の宛先アドレスの指定、前記撮影画像のアップロード先のサーバの指定、のうち少なくとも一を規定する情報が付され、前記情報処理端末の前記情報処理部は、前記外部領域に表された情報を読み取り、当該情報により指定されたメタ情報を取込対象物の撮影画像に付加、当該情報により指定された宛先アドレスに向けて前記撮影画像を電子メールとして送信、当該情報により指定されたサーバに向けて前記撮影画像をアップロード、のうち少なくとも一の処理を実行するものが挙げられる。
【発明の効果】
【００１３】
本発明によれば、データ化して活用したい取込対象物が多数枚ある場合において、その取り込み後の自動処理のための準備の煩わしさを軽減することができる。
【図面の簡単な説明】
【００１４】
【図１】本発明の一実施形態のデータ化キットを示す斜視図。
【図２】同実施形態における支持体の正面図。
【図３】同実施形態における情報処理端末が有するハードウェア資源を示す図。
【図４】同実施形態における情報処理端末の機能ブロック図。
【図５】同実施形態における情報処理端末が撮影した画像の例を示す図。
【図６】同実施形態における情報処理端末が撮影した画像の例を示す図。
【図７】同実施形態における情報処理端末が補正した画像の例を示す図。
【図８】支持体の外部領域に表された情報と、情報処理端末において実行する処理との関係を規定する設定情報の例を示す図。
【図９】同実施形態における情報処理端末による処理の手順例を示すフローチャート。
【図１０】本発明の変形例の一に係る支持体を示す正面図。
【図１１】本発明の変形例の一に係る支持体を示す正面図。
【図１２】本発明の変形例の一に係る支持体を示す正面図。
【図１３】本発明の変形例の一に係る支持体を示す正面図。
【発明を実施するための形態】
【００１５】
本発明の一実施形態を、図面を参照して説明する。図１に示すように、本実施形態のデータ化キットは、取込対象物２を撮影して取り込む情報処理端末１と、その撮影時に取込対象物２を支持する支持体３とを要素とする。
【００１６】
本実施形態では、取込対象物として名刺（または、小形のメモ用紙等）２を想定しており、支持体３は名刺２よりも大きいカード状をなす。図２に示すように、支持体３は、取込対象物たる名刺２の一般的な形状及び寸法に合致した平面視矩形状の配置領域３１と、この配置領域３１の外側に隣接し配置領域３１の周囲を取り囲む外部領域３２とを具備する。
【００１７】
配置領域３１と外部領域３２との境界には、その境界をユーザに視認させるための目印（図示例では、配置領域３１の輪郭を表す破線）３３を、印刷等により表してある。情報処理端末１を使用して名刺２を撮影する際には、図１に示しているように、その名刺２の四辺及び隅角を目印３３に重ね合わせるようにして、名刺２を配置領域３１に載置する。
【００１８】
外部領域３２には、配置領域３１に配置された名刺２を撮影して取得される撮影画像について、情報処理端末１が実行するべき処理の内容を規定する情報３４が付される。本実施形態では、その処理の内容を規定する情報として、二進法表記で値（図示例では、３ビット（十進法で０から８まで）の値）を記入するマーク欄３４を設けている。このマーク欄３４は、ユーザが任意の値を記入できる、即ちユーザ自身の手によって塗りつぶされたりシール片が貼り付けられたりするものであってもよいし、予め印刷等により所定の値が記入されているものであってもよい。
【００１９】
加えて、外部領域３２には、情報処理端末１がカメラモジュール１ｉを介して撮影した画像の傾き及び／または歪みを補正するための基準３５を、印刷等により表している。本実施形態では、配置領域３１の四隅の近傍における、配置領域３１の短手方向に沿った外方に、内部が空白な正方形３５を表示している。都合四つの基準３５の相互の位置関係、各基準３５と配置領域３１の輪郭との位置関係、及び各基準３５とマーク欄３４との位置関係はそれぞれ、一意に定められている。即ち、長手方向に対向する二つの基準３５の外法が配置領域３１の長手寸法に合致し、かつ短手方向に対向する二つの基準３５の外法が配置領域３１の短手寸法に対して所定の比率だけ大きくなっている。さらに、四つの基準３５を線分で結ぶと、長方形が描かれる。本実施形態では、配置領域３１が四つの基準３５を頂点とする長方形の内に収まっているが、配置領域３１をこの長方形からはみ出させ（例えば、配置領域３１を長手方向に沿って、同方向に対向する二つの基準３５の離間距離よりも大きく拡張させ）てもよい。これらの基準３５は、情報処理端末１が撮影した画像から配置領域３１（に配置された名刺２）の部分を検出して切り出すためにも、同画像からマーク欄３４の部分を検出してその値を読み取るためにも参照される。
【００２０】
情報処理端末１は、例えば、携帯電話端末、スマートフォン、携帯可能なビデオゲーム機やパーソナルコンピュータ（ノートブック型コンピュータ、タブレット型コンピュータ、携帯情報端末等を含む）等といった、カメラモジュール１ｉを内蔵している端末または機器である。図３に示すように、情報処理端末１は、汎用的なコンピュータと同様、ＣＰＵ（Ｃｅｎｔｒａｌ  Ｐｒｏｃｅｓｓｉｎｇ  Ｕｎｉｔ）１ａ、メインメモリ１ｂ、補助記憶デバイス１ｃ、操作入力デバイス１ｄ、オーディオコーデック１ｅ、ビデオコーデック１ｆ、通信インタフェース１ｇ、ディスプレイ１ｈ、カメラ１ｉ等のハードウェア資源を備え、これらがコントローラ（システムコントローラ、Ｉ／Ｏコントローラ等）１ｊにより制御されて連携動作するものである。
【００２１】
補助記憶デバイス１ｃは、ハードディスクドライブ、フラッシュメモリ、光学ディスクドライブ、その他である。操作入力デバイス１ｄは、手指で操作可能なタッチパネル、トラックパッド、マウス等のポインティングデバイスや、押下ボタン（テンキーやカーソルキー等を含む）、キーボード等である。オーディオコーデック１ｅは、符号化されている音声データを復号化してスピーカから音声出力したり、マイクを介して収音した音声を符号化したりする。
【００２２】
ビデオコーデック１ｆは、ＣＰＵ１ａより受けた描画指示をもとに表示させるべき画面を生成しその画面信号をディスプレイ１ｉに向けて送出するＧＰＵ（Ｇｒａｐｈｉｃｓ  Ｐｒｏｃｅｓｓｉｎｇ  Ｕｎｉｔ）、画面のデータを一時的に格納しておくビデオメモリ等を要素とする。オーディオコーデック１ｅ、ビデオコーデック１ｆはそれぞれ、ハードウェアでなくソフトウェアとして実装することも可能である。
【００２３】
通信インタフェース１ｇは、インターネットや公衆電話網、携帯電話網、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等の電気通信回線を経由したデータ通信を行うためのデバイスであり、ＮＩＣ（Ｎｅｔｗｏｒｋ  Ｉｎｔｅｒｆａｃｅ  Ｃａｒｄ）や無線ＬＡＮデバイス、ｂｌｕｅｔｏｏｔｈ（登録商標）デバイス、携帯電話網に接続するための無線デバイス等に代表される。これら以外に、ＵＳＢ（Ｕｎｉｖｅｒｓａｌ  Ｓｅｒｉａｌ  Ｂｕｓ）、ＩＥＥＥ１３９４等のインタフェースを採用することもできる。
【００２４】
カメラ１ｉは、ＣＣＤ（Ｃａｈｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサを用いた既知のものである。カメラ１ｉは、情報処理端末１に内蔵のものであってもよいし、情報処理端末１にＵＳＢ等のインタフェースを介して外付けされているものであってもよい。
【００２５】
ＣＰＵ１ａによって実行されるべきプログラムは補助記憶デバイス１ｃに格納されており、プログラムの実行の際には補助記憶デバイス１ｃからメインメモリ１ｂに読み込まれ、ＣＰＵ１ａによって解読される。本実施形態では、既知のＯＳ（Ｏｐｅｒａｔｉｎｇ  Ｓｙｓｔｅｍ）プログラムやこれに付帯する各種デバイスドライバプログラムが予めインストールされ、他のプログラムによる上記ハードウェア資源の利用を仲介する。そして、アプリケーションプログラムとして、電子メールクライアントプログラムやウェブブラウザプログラム、カメラ撮影制御プログラム等がインストールされている。その上で、本実施形態のデータ化キットを構成するために必要なプログラムがインストールされており、これらプログラムにより上記ハードウェア資源を作動して、図４に示す撮像部１０１及び情報処理部１０２としての機能を発揮する。
【００２６】
各部の機能を説明する。撮像部１０１は、カメラモジュール１ｉを利用し、支持体３における配置領域３１に配置された名刺２と外部領域３２とを一度に撮影する。配置領域３１に配置された名刺２及び外部領域３２をともに含む画像は、メインメモリ１ｂまたは補助記憶デバイス１ｃの所要の記憶領域に一時記憶される。
【００２７】
情報処理部１０２は、撮像部１０１で撮影し、メインメモリ１ｂまたは補助記憶デバイス１ｃの所要の記憶領域に一時記憶した画像から、支持体３の配置領域３１の部分を切り出して、取込対象物たる名刺２の撮影画像を得る。並びに、外部領域３２に表された情報即ちマーク欄３４に記入された値を読み取り、当該撮影画像について実行するべき処理の内容を知得する。
【００２８】
名刺２の撮影画像の取得及びマーク欄３４の値の読み取りにあたっては、撮像部１０１で撮影して得た画像の傾き及び／または歪みの補正を行う必要がある。ユーザが情報処理端末１を使用して撮影した画像Ｆの中では、図５に例示するように、被写体である支持体３及び名刺２が画像Ｆのｘ軸（水平軸）やｙ軸（垂直軸）に対して傾くことがある。のみならず、図６に例示するように、撮影時のカメラ１ｉの光軸が支持体３及び名刺２に対し直交していなかったことに起因して、支持体３及び名刺２が画像Ｆの中で本来の形状である長方形状から歪んだ形に変形することもある。
【００２９】
これらの傾きや歪みを補正するべく、情報処理端末１は、メインメモリ１ｂまたは補助記憶デバイス１ｃに一時記憶している画像Ｆ上に存在する四つの基準３５を検出する。そして、それら基準３５の相互の位置関係が正しくなるように、即ち各基準３５を結ぶ線分が画像のｘ軸やｙ軸に対して傾かず、かつ各基準３５を結ぶ線分が所定の縦横比の長方形状を描くように、画像をアフィン変換または射影変換する演算処理、いわゆる四点補正を行う。なお、画像の傾きや歪みを補正する処理の詳細は、既存の手法と同様とすることができる。図７に、補正後の画像Ｐを例示する。
【００３０】
支持体３及び名刺２を撮影した画像の補正が完了した後、情報処理端末１は、補正した画像の中から、各基準３５に対し一定の相対位置関係にある配置領域３１の部分を切り出す。これにより、名刺２の撮影画像を得ることができる。支持体３上に載置された名刺２の縁辺即ち輪郭を検出することなく、基準３５の位置から配置領域３１の部分を推定して切り出すこの手法は、寸法や形状が一般的なものと異なる（特に、非長方形状の）名刺２を撮影してデータ化する場合に頑健な処理方法である。
【００３１】
さらに、情報処理端末１は、補正した画像の中から、各基準３５に対し一定の相対位置関係にあるマーク欄３４の部分を検出し、当該部分のマークにより示される値を読み取る。そして、読み取った値に対応する処理内容を知得して、当該処理を実行する。
【００３２】
マーク欄３４に記入された値と、名刺２の撮影画像について実行するべき処理の内容との関係は、設定情報（テーブル）として、またはプログラム若しくはスクリプト中に記述された命令として、予め情報処理端末１のメインメモリ１ｂまたは補助記憶デバイス１ｃに格納されている。図８に、マーク欄３４の値と処理内容との関係を例示する。本実施形態では、処理の内容として、名刺２の撮影画像に付加するメタ情報の指定、名刺２の撮影画像の電子メールによる送信の宛先アドレスの指定、名刺２の撮影画像のアップロード先のサーバ（図示せず）の指定、を想定している。図８に示した例に則して述べると、
・マーク欄３４の値が１であれば、名刺２の撮影画像に「保管」というメタ情報（撮影画像を分類するタグ）を付した上で情報処理端末１内（の補助記憶デバイス１ｃ）に保存する
・マーク欄３４の値が２であれば、名刺２の撮影画像に「至急」というメタ情報を付した上で情報処理端末１内に保存するとともに、同撮影画像を宛先アドレス「ｈｏｇｅｈｏｇｅ＠ｍａｉｌ．ｘｘｘ」に向けて電子メールの形で送信する
・マーク欄３４の値が３であれば、名刺２の撮影画像に「重要」というメタ情報を付した上で情報処理端末１内に保存するとともに、同撮影画像を宛先アドレス「ｕｓｅｒ＠ｍａｉｌ．ｙｙｙ」に向けて電子メールの形で送信する。並びに、ＵＲＩ「ｗｗｗ．ｘｘｘｘ．ｃｏｍ／ｙｙ＿ｕｓｅｒ／」で指定される外部のサーバ（いわゆるクラウドサービスであることがある）に向けて、ＨｙｐｅｒＴｅｘｔ  Ｔｒａｎｓｆｅｒ  Ｐｒｏｔｏｃｏｌ等の所定の通信プロトコルに則り、同撮影画像をアップロード送信する
・マーク欄３４の値が４であれば、名刺２の撮影画像に「保管」及び「友人」というメタ情報を付した上で情報処理端末１内に保存するとともに、ＵＲＩ「ｗｗｗ．ｚｚｚｚ．ｊｐ／ｙｙ＿ｕｓｅｒ／」で指定される外部のサーバに向けて、所定の通信プロトコルに則り、同撮影画像をアップロード送信する
……
というような態様である。
【００３３】
名刺２の撮影画像を情報処理端末１の補助記憶デバイス１ｃに保存する際には、一定の保存先ディレクトリまたはフォルダ（ＯＳまたはアプリケーションプログラムが提供するファイルシステムによる）に保存してもよい（いわば、「名刺フォルダ」に複数枚の名刺２を取り込んだ画像を蓄積する態様）し、当該撮影画像に付されるメタ情報または当該撮影画像に係るマーク欄３４の値に応じて、保存先のディレクトリまたはフォルダを決定するようにしてもよい。後者の場合、撮影画像のメタ情報またはマーク欄３４の値に応じて保存先が異なることとなり、複数の名刺２の撮影画像を情報処理端末１内でメタ情報またはマーク欄３４の値毎に分別することが可能となる。
【００３４】
名刺２の撮影画像を電子メールとして送信、またはサーバにアップロードする際には、当該撮影画像に付されるメタ情報または当該撮影画像に係るマーク欄３４の値をも、当該撮影画像とともに送信してよい。
【００３５】
名刺２の撮影画像をサーバにアップロードする際には、アクセス権限を認証するためのユーザアカウント情報、典型的にはユーザＩＤ及びパスワードが必要となることがある。そのようなユーザアカウント情報もまた、設定情報として、またはプログラム若しくはスクリプト中に記述された命令として、予め情報処理端末１のメインメモリ１ｂまたは補助記憶デバイス１ｃに格納されている。
【００３６】
マーク欄３４の値と処理内容とを関係づける設定情報（サーバにアクセスするためのユーザアカウント情報を含む）は、ユーザ自身の手によって設定されることがある。その設定の際には、ユーザが操作入力デバイス１ｄを介して設定情報の内容を入力し、その入力を受け付けた情報処理端末１がこれをメインメモリ１ｂまたは補助記憶デバイス１ｃに記憶保持することとなる。
【００３７】
図９に、情報処理端末１がプログラムに従い実行する処理の手順例を示す。情報処理端末１は、カメラモジュール１ｉにより支持体３及び名刺２を撮像した画像を取得した後（ステップＳ１）、その画像の傾き及び／または歪みを補正する（ステップＳ２）。そして、補正した画像から、名刺２が写っている部分を切り出して名刺２の撮影画像を得（ステップＳ３）、かつマーク欄３４の写っている部分を検出してマーク欄３４に記入された値を得る（ステップＳ４）。その上で、名刺２の撮影画像について、マーク欄３４の値に対応した処理、例えばメタ情報の付加、電子メールの形での送信、サーバへのアップロード等を実施する（ステップＳ５）。
【００３８】
尤も、ステップＳ２以降の処理は、名刺２の撮影ステップＳ１の直後に実行されるとは限られない。撮影ステップＳ１にて得た画像をメインメモリ１ｂまたは補助記憶デバイス１ｃに一旦保存しておき、時間を経過した後に（特に、ユーザの手により操作入力デバイス１ｄを介した明示的な指令がなされた後に）ステップＳ２以降の処理を実行開始するようにしても構わない。複数の名刺２を撮影した画像を蓄積し、それら複数の画像に対するステップＳ２以降の処理を、バッチ処理として一括して行ってもよい。
【００３９】
まとめると、取込対象物２をデータ化して活用することを目論むユーザは、支持体３に取込対象物２を支持させた状態で、支持体３もろとも取込対象物２を撮影する。その撮影を実行した情報処理端末１では、画像内の配置領域３１に配置された取込対象物２の写っている部分を切り出して取込対象物２の撮影画像を得るとともに、外部領域３２に表された情報３４を読み取って当該撮影画像について実行するべき処理の内容を知得し、当該処理を実施するのである。
【００４０】
本実施形態では、取込対象物２を撮影して取り込む情報処理端末１と、その撮影時に取込対象物２を支持する支持体３とを要素とするデータ化キットであって、前記支持体３が、取込対象物２が配置される配置領域３１と、前記配置領域３１の外側に隣接し、前記情報処理端末１が取込対象物２を撮影して取得する撮影画像について実行するべき処理の内容を規定する情報３４が付される外部領域３２とを具備し、前記情報処理端末１が、前記支持体３における前記配置領域３１に配置された取込対象物２と前記外部領域３２とをともに撮影する撮像部１０１と、前記撮像部１０１で撮影した画像から、前記配置領域３１の部分を切り出して取込対象物２の撮影画像を得るとともに、前記外部領域３２に表された情報３４を読み取って当該撮影画像について実行するべき処理の内容を知得し当該処理を実行する情報処理部１０２とを具備しているデータ化キットを構成した。
【００４１】
本実施形態によれば、データ化して一様に処理したい取込対象物２が多数枚あったとしても、それらについて事後の処理を規定する情報３４は支持体３に表されていればよく、取込対象物２の一枚一枚に同一の情報を記述する手間が省かれる。従って、多数枚の取込対象物２が多数枚ある場合において、その取り込み後の自動処理のための準備の煩わしさを軽減することができる。
【００４２】
前記支持体３の前記外部領域３２に、処理の内容を規定するものとして、取込対象物２の撮影画像に付加するメタ情報の指定、前記撮影画像の電子メールによる送信の宛先アドレスの指定、前記撮影画像のアップロード先のサーバの指定、のうち少なくとも一を規定する情報３４が付され、前記情報処理端末１の前記情報処理部１０２は、前記外部領域３２に表された情報３４を読み取り、当該情報３４により指定されたメタ情報を取込対象物２の撮影画像に付加、当該情報３４により指定された宛先アドレスに向けて前記撮影画像を電子メールとして送信、当該情報３４により指定されたサーバに向けて前記撮影画像をアップロード、のうち少なくとも一の処理を実行するものであるため、取込対象物２を撮影して得た撮影画像をユーザの任意に応じて分別して保存したり、送信の形態や送信先を制御したりすることが可能であり、高い利便性を提供できる。
【００４３】
なお、本発明は以上に詳述した実施形態に限られるものではない。以下、本発明の変形例に関して列挙する。まず、取込対象物２は、名刺に限定されないことは言うまでもない。手書きで書き込みをしたメモ用紙、ノートの中紙、ルーズリーフ等や、葉書、手紙、覚書等の類が取込対象物２となることは当然に考えられる。ゲームや遊技等に用いられるカード類や、宝くじ、勝馬投票券等のような取込対象物２もあり得よう。
【００４４】
取込対象物２の寸法も、名刺やメモ用紙の大きさから、Ａ４、Ａ３（ともに、ＩＳＯ  ２１６による紙の規格寸法）の用紙等まで多岐に亘る。故に、支持体３の寸法も、上記実施形態のようなカードサイズには限定されない。
【００４５】
続いて、支持体３について述べる。配置領域３１と外部領域３２との境界を示し、取込対象物２を支持体３上に配置するための目印は、取込対象物２の四隅を置くべき位置を表す点またはＬ字型（カギ括弧様）の記号でもよい。
【００４６】
また、支持体３にエンボス加工等により凹凸を形成してもよい。例えば、図１０に示すように、配置領域３１の外縁に接する箇所に、支持体３の表面側に向けて突出する土手（または、凸条）３６を形成し、その土手３６の内側に取込対象物２を収めることができるようにしてもよい。あるいは逆に、配置領域３１そのものを支持体３の裏面側に向けて凹ませた凹部とし、その凹部に取込対象物２を収めることができるようにしてもよい。
【００４７】
図１１に示すように、取込対象物２の隅角を差し入れることができるスリット３７を、支持体３に形成してもよい。さすれば、このスリット３７が目印となって、取込対象物２を配置する配置領域３１を観念することができる。
【００４８】
また、支持体３は、いわゆるクリアホルダ、クリアファイル、ポケット付きホルダの如きものであることがある。例えば、図１２に示すように、その内に取込対象物２を収容するポケット３８を支持体３に設けてあれば、そのポケット３８の所在する箇所が取込対象物２を配置する配置領域３１となる。ポケット３８を構成し、取込対象物２の表面側に覆い被さる部材は、透明とすることが望ましい。
【００４９】
支持体３の素材は、紙（厚紙、ボール紙等）には限定されない。支持体３は、ポリプロピレンその他の樹脂（または、プラスチック）製のシートや薄板等として構成されてもよいし、木製でも布製でもよい。
【００５０】
取込対象物２が、メモパットとして綴じられたメモ用紙やノートとして綴じられた中紙である場合、そのメモパッドまたはノートの表表紙または裏表紙が本発明に係る支持体３となっていることがある。この場合の支持体３は、メモ用紙または中紙よりも寸法が大きく、メモ用紙または中紙の外縁よりも外方に張り出した部位が外部領域３２となる。
【００５１】
支持体３は、机の天板等の水平な台の上に載せ置いて使用するものであるとは限られない。支持体３が、取込対象物２の撮影時に、スタンド等に立て掛けられて傾斜した姿勢で起立するものであったり、壁面やホワイトボード等に取り付けられて直立するものであったりすることがある。
【００５２】
支持体３及び取込対象物２を撮影した画像の傾き及び／または歪みを補正するために参照される基準の形態は、上記実施形態のような四点の基準３５には限定されない。支持体３の外部領域３２に、格子目や市松模様（チェック）その他の模様、網点その他のパターン等を表示して、画像の補正のための基準として役立ててもよい。
【００５３】
支持体３において、配置領域３１と外部領域３２との境界を示す目印は、存在しないことがある。例えば、図１３に示すように、支持体３を、取込対象物２たるメモ用紙等の紙色とは明確に異なる濃色（特に、黒色等）のものとする場合、配置領域３１と外部領域３２との厳密な境界を明確に表示する必要がない。この支持体３及び支持体３上に配置された取込対象物２を撮影した情報処理端末１（の情報処理部１０２）において、撮影して得た画像の各画素の画素値（色）から、取込対象物２の縁辺即ち輪郭を比較的精確に検出可能であり、その輪郭に沿って取込対象物２の写っている部分のみを画像から切り出すことができるからである。
【００５４】
さらに、情報処理端末１（の情報処理部１０２）において、撮影して得た画像から、取込対象物２の輪郭である四辺を検出できるのであれば、その検出した各縁辺の画像のｘ軸及びｙ軸に対する傾きを基に、被写体である支持体３及び取込対象物２の画像の中での傾き及び歪みを補正することもできるようになる。このときの情報処理端末１は、画像上で検出された取込対象物２の各縁辺が画像のｘ軸やｙ軸に対して傾かず、かつ各縁辺が取込対象物２の寸法に対応した所定の縦横比の長方形状を描くように、画像をアフィン変換または射影変換する演算処理を行う。つまり、支持体３の外部領域３２に画像の傾きや歪みを補正するための基準３５が表示されていなくとも、画像の補正及び取込対象物２の写っている部分の切り出しは可能であって、基準３５の表示は必須ではない。
【００５５】
上記実施形態では、取込対象物２の撮影画像について実行するべき処理の内容を規定する情報を表現するものとして、支持体３の外部領域３２にマーク欄３４を設けていた。これ以外に、バーコードや二次元コード（ＱＲコード（登録商標）等）、模様やドットパターン、色彩、情報処理端末１においてＯＣＲ（Ｏｐｔｉｃａｌ  Ｃｈａｒａｃｔｅｒ  Ｒｅｃｏｇｎｉｔｉｏｎ）読み取り可能な数字その他の文字列等を、実行するべき処理の内容を規定する情報を表現するものとして、支持体３の外部領域３２に付してもよい。例えば、支持体３の色が異なると、情報処理端末１において実行される処理が異なる、というようなことである。
【００５６】
支持体３の外部領域３２に付されている情報３４に従って決定される、情報処理端末１が実行するべき処理についても、種々の変形例が考えられる。例えば；
＜取込対象物２の撮影画像への処理として＞
撮影画像のファイル形式（ＢＭＰ、ＪＰＥＧ、ＧＩＦ、ＰＤＦ、ＰＩＸ、等々）の選択または変更、解像度の選択または変更、色数の変更（白黒（モノクロ）の二値化、グレースケール化等）、色調の変更、シャープ化その他のフィルタによる画像処理、タイムスタンプ（情報処理端末１の計時機能から取得できる）または印影のようなシンボル画像（シンボル画像は予め、情報処理端末１のメインメモリ１ｂまたは補助記憶デバイス１ｃに保持している）を撮影画像に付加または重畳した上で当該撮影画像を保存。支持体３の外部領域３２に付されている情報３４が、保存または送信される撮影画像のファイル形式、解像度、色数、色調の変更やフィルタ処理の内容等を指定する識別子を含んでおり、情報処理端末１において当該識別子に対応したファイル形式、解像度、色数の画像を生成し、必要な場合には色調補正やフィルタ処理その他の処理を当該画像に施す。支持体３の外部領域３２にある特定の情報（または、値）３４が付されている場合には、当該支持体３を使用して撮影された複数の取込対象物２に係る複数枚の撮影画像を、つなぎ合わせて一枚の画像ファイルにしたり、複数のページ（各撮影画像が各ページとなる）を包有する一つのＰＤＦまたは文書ファイルの形にまとめたりする、ということも考えられる
＜取込対象物２そのものに関連する処理として＞
取込対象物２の表面に文字列の一部または全部のテキストデータのＯＣＲ読み取りによる抽出、取込対象物２の表面に表された特徴的な画像やパターン（会社名のロゴマーク等）の抽出、さらには、抽出したテキストデータ、画像またはパターンに基づいた取込対象物２の撮影画像の分類（メタ情報の付与、保存先ディレクトリの選定、送信先の指定等）処理
＜取込対象物２の撮影画像に付加するメタ情報の内容として＞
撮影者や撮影場所その他撮影条件を示す情報の指定。支持体３の外部領域３２に付されている情報３４が、撮影者や撮影場所等を識別する識別子を含んでおり、情報処理端末１において当該識別子に対応したメタ情報を撮影画像に付加する
＜取込対象物２の撮影画像の出力処理として＞
印刷、特定の記録媒体への書き込み、撮影画像のデータファイルを他のアプリケーションソフトウェア（例えば、画像レタッチソフトや文書管理ソフト、ＰＤＦ編集ソフト等。ウェブアプリケーションやＳａａＳ（Ｓｏｆｔｗａｒｅ  ａｓ  ａ  Ｓｅｒｖｉｃｅ）であることがある）にオープンさせる等。支持体３の外部領域３２に付されている情報３４が、撮影画像を出力するハードウェアまたは撮影画像をオープンするアプリケーションを指定する識別子を含んでおり、情報処理端末１において当該識別子に対応したハードウェアを介して撮影画像を出力させるか、当該識別子に対応したアプリケーションを起動して撮影画像をオープンさせる
等を挙げることができる。
【００５７】
情報処理端末１は、スマートフォンやパーソナルコンピュータ等のような汎用的な機器ではなく、専用機であっても構わない。
【００５８】
その他、各部の具体的構成や処理の手順等は、本発明の趣旨を逸脱しない範囲で種々変形が可能である。
【符号の説明】
【００５９】
１…情報処理端末
１０１…撮像部
１０２…情報処理部
２…取込対象物
３…支持体
３１…配置領域
３２…外部領域
３４…処理の内容を規定する情報（マーク欄）
【図１】
2014021872.tif 000003
【図２】
2014021872.tif 000004
【図３】
2014021872.tif 000005
【図４】
2014021872.tif 000006
【図５】
2014021872.tif 000007
【図６】
2014021872.tif 000008
【図７】
2014021872.tif 000009
【図８】
2014021872.tif 000010
【図９】
2014021872.tif 000011
【図１０】
2014021872.tif 000012
【図１１】
2014021872.tif 000013
【図１２】
2014021872.tif 000014
【図１３】
2014021872.tif 000015